【事件の表示】
　特願２０１２−１１６５０４号「遊技場用システム」拒絶査定不服審判事件〔平成２５年１２月５日出願公開、特開２０１３−２４０５１１号、請求項の数（６）〕について、次のとおり審決する。
【結　論】
　原査定を取り消す。
　本願の発明は、特許すべきものとする。
【理　由】
第１　手続の経緯の概要
　本願は、平成２４年５月２２日の出願であって、平成２８年２月１日付けで拒絶の理由が通知され、同年３月３１日に手続補正書、意見書が提出されところ、同年８月２２日付けで拒絶査定がなされ（発送日：同年８月３０日）、それに対し、同年９月２８日に拒絶査定不服審判の請求がなされたものである。
　
第２　原査定の概要
　原査定（平成２８年８月２２日付け拒絶査定）の概要は次のとおりである。
　
　本願請求項１に係る発明は、以下の引用文献１、２に基づいて、その発明の属する技術の分野における通常の知識を有する者（以下、「当業者」という。）が容易に発明できたものであるから、特許法第２９条第２項の規定により特許を受けることができない。
　
　引用文献等一覧
　１　特開２０１２−８５７３３号公報
　２　特開２００４−８１５７８号公報
　
第３　本願発明
　本願請求項１〜６に係る発明（以下、それぞれ「本願発明１」−「本願発明６」という。）は、平成２８年３月３１日付け手続補正書により補正された特許請求の範囲の請求項１〜６に記載された事項により特定されるところ、本願発明１は、次のとおりのものである。
　
「【請求項１】
遊技者が遊技により獲得した遊技価値である獲得価値を特定する獲得価値特定手段と、
　前記獲得価値特定手段により特定される獲得価値が、当該獲得価値に対して予め設定される単位価値分更新された場合に、当該単位価値に対応する第１価値表示をメイン表示領域に加算表示することで、第１価値表示の表示数を前記獲得価値の大きさに対応させて表示する第１価値表示手段と、
　前記メイン表示領域とは区分された表示領域であり、前記メイン表示領域に対応して設けられるサブ表示領域にて、前記第１価値表示とは異なる表示を行うサブ表示手段と、
　前記獲得価値特定手段により特定された獲得価値、又は前記第１価値表示の表示数である更新値が、当該更新値に対して予め設定される設定更新値分更新された場合に、前記第１価値表示手段により表示される複数の第１価値表示を、前記設定更新値に対応する第２価値表示へと纏める変更処理を行う第２価値表示手段と、
　前記変更処理が行われた場合に、前記サブ表示領域を縮小すると共に前記メイン表示領域を拡大する表示領域変更手段と、を備えたことを特徴とする遊技情報管理システム。」
　
　なお、本願発明２〜６の概要は以下のとおりである。
　本願発明２は、本願発明１を減縮した発明である。
　本願発明３は、本願発明１又は２を減縮した発明である。
　本願発明４は、本願発明１乃至３の何れかを減縮した発明である。
　本願発明５は、本願発明１乃至４の何れかを減縮した発明である。
　本願発明６は、本願発明１乃至５の何れかを減縮した発明である。
　
第４　引用文献、引用発明等
　１　引用文献１について
　原査定の拒絶の理由に引用された上記引用文献１には、図面とともに次の発明（「引用発明」という。）が記載されている。
　
　　ア　「【特許請求の範囲】
【請求項１】
　遊技機と遊技機の間の台間スペースに設置され、
遊技機での遊技に関連する情報を表示する表示装置
　前記情報が視認可能に表示される表示画面を前面に備え、
　前記表示装置が設置された状態において、前記表示画面の高さが前記表示画面の幅よりも大きい
　表示装置。
・・・
【請求項７】
　請求項１ないし６のいずれかに記載の表示装置であって、
　
遊技機から払い出された遊技媒体を計数する計数装置に接続され
　前記計数装置による計数の結果を前記表示画面に表示する計数結果表示手段を備え
た
　
表示装置
　
　　イ　「【技術分野】
【０００１】
　本発明は、遊技機に対応して設置され、遊技機での遊技に関連する情報を表示する表示装置に関する。」
　
　　ウ　「【発明を実施するための形態】
【００１８】
　以上説明した本発明の構成及び作用を一層明らかにするために、以下、本発明の実施の形態を実施例に基づいて説明する。図１は、パチンコ台１０の台間スペースに第１実施例の台間装置３０及び計数装置２０が設置された状態を斜視した様子を示す説明図である。第１実施例では、
台間装置３０が特許請求の範囲に記載された表示装置に相当する
・・・　
【００２０】
　パチンコ台１０の中央には遊技盤１２が設けられている。遊技者はこの遊技盤１２に遊技媒体としての玉を発射することによって遊技を行う。玉を発射するためには、遊技盤１２の下部から手前側（遊技者側）に突出した状態で設けられた上皿１４に玉が投入されている状態で、右斜め下側に設けられた発射ハンドル１６を時計回りに回転させる。すると、発射ハンドル１６の回転角度に応じた強さで、自動的に遊技盤１２に向けて玉が発射されていく。また、遊技盤１２上の入賞口への玉の進入に伴って、パチンコ台１０裏面の払出ユニットから払出玉が上皿１４に払い出される。上皿１４のストッパが解除されると、上皿１４に貯溜されていた玉は、上皿１４の底部から計数装置２０の皿部２２に落下した後、玉通路部２４を通って計数装置２０内部の計数部に導かれ、
計数部において持玉としての計数がなされる
　
　　エ　「【００３９】
　制御部３０１は、持玉数のデータや演出表示データを作成するにあたり、必要な場合には、記憶部３０２に記憶されている素材やプロセス等を読み出して用いる。例えば、
計数情報としての持玉数が、玉箱一箱に収容可能な最大玉数にほぼ等しい場合には
玉箱一箱一杯に玉を収容した状態の画像データを記憶部３０２から読み出して表示器３１０に表示する
【００４０】
　
計数情報としての持玉数が、玉箱一箱に収容可能な最大玉数の５倍にほぼ等しい場合には
持玉数を玉箱一箱に収容可能な最大玉数で除した商と同じ数の玉箱を積み上げる表示を行う
　
　　オ　　上記ア〜エから、上記引用文献１には次の発明（以下「引用発明」という。）が記載されていると認められる。
　「遊技機から払い出された遊技媒体を持玉として計数する計数装置（【請求項１】、【００２０】）に接続され、
計数情報としての持玉数が、
　玉箱一箱に収容可能な最大玉数にほぼ等しい場合には、
　　表示器３１０に玉箱一箱一杯に玉を収容した状態の画像データを記憶部３０２から読み出して表示し（【００３９】）、
　玉箱一箱に収容可能な最大玉数の５倍にほぼ等しい場合には、
　　表示器３１０に持玉数を玉箱一箱に収容可能な最大玉数で除した商と同じ数の玉箱を積み上げる表示を行う（【００４０】）
　遊技機での遊技に関連する情報を表示する台間装置３０（表示装置）（【請求項１】、【００１８】）。」
　
　２　引用文献２について
　原査定の拒絶の理由に引用された上記引用文献２には、図面とともに次の事項が記載されている。
　
　　ア　「【発明の属する技術分野】
　本発明は、遊技媒体を用いる遊技機から遊技者が獲得した遊技媒体の数量を目視可能に表示するための遊技媒体表示装置に関する。ここで遊技媒体とは主としてパチンコ玉であり、遊技機は一般のパチンコ機に類するものである。」
　
　　イ　「【０００７】
【課題を解決するための手段】
前述した目的を達成するための本発明の要旨とするところは、以下の各項に存する。
［１］遊技媒体を用いる遊技機（１１）から遊技者が獲得した遊技媒体の数量を目視可能に表示するための遊技媒体表示装置（２０）において、
前記遊技機（１１）前に設置されるイス（２）の背面側に設けられ、
所定数量の遊技媒体を貯留する玉箱を模した形状に点灯可能な玉箱表示ユニット（３０ａ，３０ｂ）を複数並設して成る玉箱表示パネル（２１）を有し
前記
各玉箱表示ユニット（３０ａ，３０ｂ）は、前記遊技機（１１）側より遊技者に払い出された遊技媒体の数量に応じて、順次点灯するように表示可能である
遊技媒体表示装置（２０）
　
　　ウ　「【００１４】
［８］前記
玉箱表示パネル（２１）とは別に設けられ、遊技媒体の数量を直接数字で表示可能な表示部（４０）を有し
前記表示部（４０）は、前記遊技機（１１）側より遊技者に払い出された遊技媒体の数量に応じて、該数量が順次加算された値を直接数字で表示可能であることを特徴とする［１］，［２］，［３］，［４］，［５］，［６］または［７］記載の
遊技媒体表示装置（２０）
　
　　エ　「【００２５】
具体的には例えば、
大きい玉箱表示ユニット（３０ａ，３０ｂ）は、小さい玉箱表示ユニット（３０ａ，３０ｂ）の５つ分の数量を表示するように設定しておき、小さい玉箱表示ユニット（３０ａ，３０ｂ）が５つとも点灯した後、さらに遊技媒体数が増えたら、小さい玉箱表示ユニット（３０ａ，３０ｂ）の５つに代えて大きい玉箱表示ユニット（３０ａ，３０ｂ）を１つだけ点灯させる
表示制御が可能となる
　
　　オ　上記ア〜エから、上記引用文献２には、
「所定数量の遊技媒体を貯留する玉箱を模した形状に点灯可能であり、遊技機（１１）側より遊技者に払い出された遊技媒体の数量に応じて、順次点灯するように表示可能である玉箱表示ユニット（３０ａ，３０ｂ）を複数並設した玉箱表示パネル（２１）（【０００７】）と、
　玉箱表示パネル（２１）とは別に設けられ、遊技媒体の数量を直接数字で表示可能な表示部（４０）（【００１４】）と
を有する遊技媒体表示装置（２０）において、
　大きい玉箱表示ユニット（３０ａ，３０ｂ）は、小さい玉箱表示ユニット（３０ａ，３０ｂ）の５つ分の数量を表示するように設定しておき、小さい玉箱表示ユニット（３０ａ，３０ｂ）が５つとも点灯した後、さらに遊技媒体数が増えたら、小さい玉箱表示ユニット（３０ａ，３０ｂ）の５つに代えて大きい玉箱表示ユニット（３０ａ，３０ｂ）を１つだけ点灯させる表示制御が可能となる（【００２５】）。」という技術的事項が記載されていると認められる。
　
第５　対比・判断
　１　本願発明１について
　（１）対比
　本願発明１と引用発明とを対比する。
　まず、引用発明の「遊技機から払い出された遊技媒体を持玉として計数する計数装置」は、本願発明１の「遊技者が遊技により獲得した遊技価値である獲得価値を特定する獲得価値特定手段」に相当する。
　
　次に、引用発明の「玉箱一箱に収容可能な最大玉数にほぼ等しい場合には、表示器３１０に玉箱一箱一杯に玉を収容した状態の画像データを記憶部３０２から読み出して表示し（【００３９】、【００４０】）、玉箱一箱に収容可能な最大玉数の５倍にほぼ等しい場合には、表示器３１０に持玉数を玉箱一箱に収容可能な最大玉数で除した商と同じ数の玉箱を積み上げる表示を行」うこと、本願発明１の「獲得価値特定手段により特定される獲得価値が、当該獲得価値に対して予め設定される単位価値分更新された場合に、当該単位価値に対応する第１価値表示をメイン表示領域に加算表示することで、第１価値表示の表示数を前記獲得価値の大きさに対応させて表示する第１価値表示手段」とを対比する。
　引用発明の「玉箱一箱に収容可能な最大玉数にほぼ等しい場合」、「玉箱一箱一杯に玉を収容した状態の画像データ」、「玉箱を積み上げる表示を行う」ことは、それぞれ、本願発明１の「単位価値分更新された場合」、「単位価値に対応する第１価値表示」、「加算表示すること」に相当する。
　したがって、両者は、「獲得価値特定手段により特定される獲得価値が、当該獲得価値に対して予め設定される単位価値分更新された場合に、当該単位価値に対応する第１価値表示を表示部に加算表示することで、第１価値表示の表示数を前記獲得価値の大きさに対応させて表示する第１価値表示手段」である点で共通する。
　
　そして、引用発明の「計数装置と」「表示器３１０」「を備えた遊技機」は、本願発明１の「獲得価値特定手段と」「第１価値表示手段」「を備えた」「遊技情報管理システム」に相当する。
　
　したがって、本願発明と引用発明とは、
「遊技者が遊技により獲得した遊技価値である獲得価値を特定する獲得価値特定手段と、
　前記獲得価値特定手段により特定される獲得価値が、当該獲得価値に対して予め設定される単位価値分更新された場合に、当該単位価値に対応する第１価値表示を（表示部）に加算表示することで、第１価値表示の表示数を前記獲得価値の大きさに対応させて表示する第１価値表示手段と
を備えた遊技情報管理システム。」の点で一致し、次の点で相違する。
　
　［相違点］
　表示部に関して、
　本願発明１は、メイン表示領域とサブ表示領域とを有し、
　メイン表示領域とは区分された表示領域であり、メイン表示領域に対応して設けられるサブ表示領域にて、第１価値表示とは異なる表示を行うサブ表示手段と、
　獲得価値特定手段により特定された獲得価値、又は第１価値表示の表示数である更新値が、当該更新値に対して予め設定される設定更新値分更新された場合に、第１価値表示手段により表示される複数の第１価値表示を、設定更新値に対応する第２価値表示へと纏める変更処理を行う第２価値表示手段と、
　変更処理が行われた場合に、サブ表示領域を縮小すると共にメイン表示領域を拡大する表示領域変更手段とを備えているのに対して、
　引用発明は、当該発明特定事項を備えていない点。
　
　（２）相違点についての判断
　上記相違点について検討すると、「第４　引用文献、引用発明等」の「２　引用文献２について」に記載のとおり、引用文献２には、
「所定数量の遊技媒体を貯留する玉箱を模した形状に点灯可能であり、遊技機（１１）側より遊技者に払い出された遊技媒体の数量に応じて、順次点灯するように表示可能である玉箱表示ユニット（３０ａ，３０ｂ）を複数並設した玉箱表示パネル（２１）（【０００７】）と、
　玉箱表示パネル（２１）とは別に設けられ、遊技媒体の数量を直接数字で表示可能な表示部（４０）（【００１４】）と
を有する遊技媒体表示装置（２０）において、
　大きい玉箱表示ユニット（３０ａ，３０ｂ）は、小さい玉箱表示ユニット（３０ａ，３０ｂ）の５つ分の数量を表示するように設定しておき、小さい玉箱表示ユニット（３０ａ，３０ｂ）が５つとも点灯した後、さらに遊技媒体数が増えたら、小さい玉箱表示ユニット（３０ａ，３０ｂ）の５つに代えて大きい玉箱表示ユニット（３０ａ，３０ｂ）を１つだけ点灯させる表示制御が可能となる（【００２５】）。」という技術的事項が記載されている。
　
　ここで、引用文献２に記載された技術事項の「玉箱表示パネル（２１）」の「小さい玉箱表示ユニット（３０ａ，３０ｂ）」の１「つ分の数量」は、本願発明１の「予め設定される単位価値」に対応することから、「玉箱表示パネル（２１）」は、本願発明１の「メイン表示領域」に対応する。また、引用文献２に記載された技術事項の「玉箱表示パネル（２１）とは別に設けられ、遊技媒体の数量を直接数字で表示可能な表示部（４０）」は、本願発明１の「メイン表示領域とは区分された表示領域であり、メイン表示領域に対応して設けられ」「第１価値表示とは異なる表示を行う」「サブ表示領域」に対応する。さらに、引用文献２に記載された技術事項の「大きい玉箱表示ユニット（３０ａ，３０ｂ）は、小さい玉箱表示ユニット（３０ａ，３０ｂ）の５つ分の数量を表示するように設定しておき、小さい玉箱表示ユニット（３０ａ，３０ｂ）が５つとも点灯した後、さらに遊技媒体数が増えたら、小さい玉箱表示ユニット（３０ａ，３０ｂ）の５つに代えて大きい玉箱表示ユニット（３０ａ，３０ｂ）を１つだけ点灯させる表示制御」を行うことは、本願発明１の「獲得価値特定手段により特定された獲得価値、又は第１価値表示の表示数である更新値が、当該更新値に対して予め設定される設定更新値分更新された場合に、第１価値表示手段により表示される複数の第１価値表示を、設定更新値に対応する第２価値表示へと纏める変更処理を行う」ことに対応する。
　
　しかしながら、上記引用文献２に記載された技術事項は、本願発明１の「・・・第２価値表示へと纏める変更処理を行う第２価値表示手段」を備えるが、上記相違点に係る本願発明１の「変更処理が行われた場合に、サブ表示領域を縮小すると共にメイン表示領域を拡大する表示領域変更手段」を備えるものではない。
　
　したがって、引用発明に引用文献２に記載された技術事項を適用しても「変更処理が行われた場合に、サブ表示領域を縮小すると共にメイン表示領域を拡大する表示領域変更手段」については想到することはできない。
　
　そして、本願発明１は、上記構成を備えることにより、本願明細書記載の「このように玉数の把握を容易にすべく箱数を纏めて表示する場合でも、その表示領域を拡大するようにしたので、表示領域の大きさにより大凡の玉数、即ち、箱数の纏め度合いを把握することができる。更に、第１価値表示とは異なる表示をサブ表示領域にて行うことで、メイン表示領域が小さい場合であっても、メイン表示領域での演出不足をサブ表示領域にて補うことが可能となる。」（【発明の効果】【００１２】）という効果を奏するものである。
　
　したがって、本願発明１は、当業者であっても、引用発明及び引用文献２に記載された技術的事項に基づいて容易に発明できたものとはいえない。
　
２　本願発明２〜６について
　本願発明２〜６は、本願発明１の従属請求項であるから、本願発明１と同じ理由により、当業者であっても、引用発明及び引用文献２に記載された技術的事項に基づいて容易に発明できたものとはいえない。
　
第６　むすび
　以上のとおり、本願発明１〜６は、当業者が引用発明及び引用文献２に記載された技術的事項に基づいて容易に発明をすることができたものではない。したがって、原査定の理由によっては、本願を拒絶することはできない。
　また、他に本願を拒絶すべき理由を発見しない。
　よって、結論のとおり審決する。